(57)【要約】      （修正有）【課題】変化球やソフトボールの投球に近いボールの放物線も調整することができる打撃練習機を提供する。【解決手段】板からなり、地面に設けて投球手段を支持するために供するベース１０と、中空の管体２１からなり、底部がベース上に回動自在に設けられ、管体の底部外側に設けられた角度調整手段１３で傾斜角度を調整し、内部にバネと桿体２６が設けられ、該桿体には外部に管体と垂直に踏み棒２７と係合桿２８を設けてなり、踏み棒と係合桿とが管体の外側に延伸し、管体外側には踏み棒と係合桿とを押さえるために外バネ２９が設けられ、管体の上端にはボールを入れる容器４０が設けられる。係合手段２０２が係合桿を外す動作に連動し、打撃練習者が踏んで係合桿が外れると、管体内部のバネの弾力で桿体が連動して桿体が容器内部のボールに衝突し、ボールが投げ出される。【選択図】図１
0003132135.tif 000002
【実用新案登録請求の範囲】
【請求項１】
板から形成し、地面に設けられ、投球手段を支持するために供するベースと、
中空の管体から形成され、底部がベース上に回動自在に設けられ、管体の底部外側に設けられた角度調整手段で傾斜角度を調整し、内部にはバネと桿体が設けられ、該桿体には外部に管体と垂直に踏み棒と係合桿を設けてなり、該踏み棒と係合桿とが管体の外側に延伸し、管体外側には踏み棒と係合桿とを押さえるために外バネが設けられ、管体の底部外側には係合手段が設けられて係合桿に係合し、管体の上端にはボールを入れる容器が設けられる投球手段と、
係合手段が係合桿を外す動作に連動し、打撃練習者が踏んで係合桿が外れると、管体内部のバネの弾力で桿体が連動して桿体が容器内部のボールに衝突し、ボールが投げ出され、投球手段が角度調整手段の角度を調整すると、ボールが放物線を描くように投げ出すことができ、容器でボールの経路を変化させることができる緩和手段とを具えてなることを特徴とする打撃練習機。
【請求項２】
前記角度調整手段が、ベース上に設けられ、少なくとも１以上のベースに垂直に設けられた板から形成され、該板には弧状の軌道が形成され、投球手段の管体の外側には軌道に挿入する横桿が設けられ、偏心ハンドルで板を押し圧して軌道で管体の角度を調整することを特徴とする請求項１に記載の打撃練習機。
【請求項３】
前記係合手段が管体の底部外側にフック部と揺動端を設けてなり、フック部が係合桿に係合し、揺動桿がバネで引かれ、管体に揺動端を押さえる柱体を設けることを特徴とする請求項１に記載の打撃練習機。
【請求項４】
前記管体が上端に水平板を設けてなり、該水平板には複数の調整柱を具えてなり、容器の底部には孔と２つの滑動溝が設けられ、該滑動溝が調整柱を挿入するために供し、ナットで容器を位置決めするとともに、容器の位置を調整する構造からなることを特徴とする請求項１に記載の打撃練習機。
【請求項５】
前記緩和手段が踏み板と板からなり、該踏み板がロープに接続し、ロープが係合手段を連動し、板に踏み板が回動自在に設けられ、板の底面には地面に挿入すために供する複数の挿入柱が設けられることを特徴とする請求項１に記載の打撃練習機。
【請求項６】
前記管体が両側にそれぞれ適宜な空間を設けてなり、該空間が桿体の踏み棒と係合桿を管体の外側に延伸して位置を移動するために供するとともに、空間に隣接してレールが設けられ、該踏み棒と管体との間には軸受けが設けられ、該軸受けでレールを押し圧することを特徴とする請求項１に記載の打撃練習機。
【請求項７】
前記管体が上端に容器を固定して設け、該容器が両側にそれぞれ相対して複数の位置決め孔を設けてなり、調整柱を位置決め孔に挿入してナットで移動板の位置を位置決めする構造からなることを特徴とする請求項１に記載の打撃練習機。
【請求項８】
前記緩和手段が電動装置からなり、該電動装置が動力柱を具えてなり、該動力柱が係合手段に連動することを特徴とする請求項１に記載の打撃練習機。
【請求項９】
前記桿体が管体の上方に突出して延伸し、容器が桿体の上端に固定して設けられ、且つ投球手段の管体の上端にリングが設けられることを特徴とする請求項１に記載の打撃練習機。
【考案の詳細な説明】
【技術分野】
【０００１】
この考案は、打撃練習機に関し、特に野球やソフトボールの打撃を練習する打撃練習機に関する。
【背景技術】
【０００２】
誰もが知っているように、野球やソフトボールは団体で行う競技である。このため、個人の打撃能力以外に、チームのメンバー同士の結束力やチームワークも必要なスポーツで多くの人を引きつけている。よって、野球やソフトボールは世界中の人々に人気のあるスポーツの一つになっている。
【０００３】
個人の打撃能力を高めるため、関連業者は営業用に自動投球機を開発した。野球やソフトボールの打撃練習を行う人は、好みのバッドを携帯して、投球機から投げ出されるボールを打って、打撃練習を行う。しかしながら、趣味などで野球やソフトボールを行っている人々は打撃練習を行う場合、必ず練習場に行ってお金を支払わなければバッドやホームランの感触を味わうことができない。また、趣味で野球やソフトボールを楽しむ人は、土地や費用の問題から巨大な自動投球器を所有することはできない。
【考案の開示】
【考案が解決しようとする課題】
【０００４】
この考案は、練習場へ行く必要がなく、変化球やソフトボールの投球に近いボールなど投げ出されるボールの放物線も調整することができる打撃練習機を提供することを課題とする。
【０００５】
また、この考案は、収納に便利なため、携帯し易く、且つ１人でも打撃の練習ができる打撃練習機を提供することを課題とする。
【課題を解決するための手段】
【０００６】
そこで、本考案の考案者は従来の技術に見られる欠点に鑑みて鋭意研究を重ねた結果、板から形成し、地面に設けられ、投球手段を支持するために供するベースと、
中空の管体から形成され、底部がベース上に回動自在に設けられ、管体の底部外側に設けられた角度調整手段で傾斜角度を調整し、内部にはバネと桿体が設けられ、該桿体には外部に管体と垂直に踏み棒と係合桿を設けてなり、該踏み棒と係合桿とが管体の外側に延伸し、管体外側には踏み棒と係合桿とを押さえるために外バネが設けられ、管体の底部外側には係合手段が設けられて係合桿に係合し、管体の上端にはボールを入れる容器が設けられる投球手段と、
係合手段が係合桿を外す動作に連動し、打撃練習者が踏んで係合桿が外れると、管体内部のバネの弾力で桿体が連動して桿体が容器内部のボールに衝突し、ボールが投げ出され、投球手段が角度調整手段の角度を調整すると、ボールが放物線を描くように投げ出すことができ、容器でボールの経路を変化させることができる緩和手段とを具えてなる構造からなる打撃練習機。
【０００７】
以下、この考案について具体的に説明する。
請求項１に記載する打撃練習機は、板から形成し、地面に設けられ、投球手段を支持するために供するベースと、
中空の管体から形成され、底部がベース上に回動自在に設けられ、管体の底部外側に設けられた角度調整手段で傾斜角度を調整し、内部にはバネと桿体が設けられ、該桿体には外部に管体と垂直に踏み棒と係合桿を設けてなり、該踏み棒と係合桿とが管体の外側に延伸し、管体外側には踏み棒と係合桿とを押さえるために外バネが設けられ、管体の底部外側には係合手段が設けられて係合桿に係合し、管体の上端にはボールを入れる容器が設けられる投球手段と、
係合手段が係合桿を外す動作に連動し、打撃練習者が踏んで係合桿が外れると、管体内部のバネの弾力で桿体が連動して桿体が容器内部のボールに衝突し、ボールが投げ出され、投球手段が角度調整手段の角度を調整すると、ボールが放物線を描くように投げ出すことができ、容器でボールの経路を変化させることができる緩和手段とを具えてなる。
【０００８】
請求項２に記載の打撃練習機は、請求項１に記載の角度調整手段が、ベース上に設けられ、少なくとも１以上のベースに垂直に設けられた板から形成され、該板には弧状の軌道が形成され、投球手段の管体の外側には軌道に挿入する横桿が設けられ、偏心ハンドルで板を押し圧して軌道で管体の角度を調整する。
【０００９】
請求項３に記載の打撃練習機は、請求項１に記載の係合手段が管体の底部外側にフック部と揺動端を設けてなり、フック部が係合桿に係合し、揺動桿がバネで引かれ、管体に揺動端を押さえる柱体を設ける。
【００１０】
請求項４に記載の打撃練習機は、  請求項１に記載の管体が上端に水平板を設けてなり、該水平板には複数の調整柱を具えてなり、容器の底部には孔と２つの滑動溝が設けられ、該滑動溝が調整柱を挿入するために供し、ナットで容器を位置決めするとともに、容器の位置を調整する構造からなる。
【００１１】
請求項５に記載の打撃練習機は、請求項１に記載の緩和手段が踏み板と板からなり、該踏み板がロープに接続し、ロープが係合手段を連動し、板に踏み板が回動自在に設けられ、板の底面には地面に挿入すために供する複数の挿入柱が設けられる。
【００１２】
請求項６に記載の打撃練習機は、請求項１に記載の管体が両側にそれぞれ適宜な空間を設けてなり、該空間が桿体の踏み棒と係合桿を管体の外側に延伸して位置を移動するために供するとともに、空間に隣接してレールが設けられ、該踏み棒と管体との間には軸受けが設けられ、該軸受けでレールを押し圧する。
【００１３】
請求項７に記載の打撃練習機は、請求項１に記載の管体が上端に容器を固定して設け、該容器が両側にそれぞれ相対して複数の位置決め孔を設けてなり、調整柱を位置決め孔に挿入してナットで移動板の位置を位置決めする構造からなる。
【００１４】
請求項８に記載の打撃練習機は、請求項１に記載の緩和手段が電動装置からなり、該電動装置が動力柱を具えてなり、該動力柱が係合手段に連動する。
【００１５】
請求項９に記載の打撃練習機は、請求項１に記載の桿体が管体の上方に突出して延伸し、容器が桿体の上端に固定して設けられ、且つ投球手段の管体の上端にリングが設けられる。
【考案の効果】
【００１６】
この考案の打撃練習機は、構造が簡単で折り畳むことができ、軽量なため、持ち運びが便利で、組み立てやメンテナンスが行い易いため、使用寿命が長いという効果を有する。
【考案を実施するための最良の形態】
【００１７】
この考案は、練習場へ行く必要がなく、変化球やソフトボールの投球に近いボールなど投げ出されるボールの放物線も調整することができる打撃練習機であって、板から形成し、地面に設けられ、投球手段を支持するために供するベースと、
中空の管体から形成され、底部がベース上に回動自在に設けられ、管体の底部外側に設けられた角度調整手段で傾斜角度を調整し、内部にはバネと桿体が設けられ、該桿体には外部に管体と垂直に踏み棒と係合桿を設けてなり、該踏み棒と係合桿とが管体の外側に延伸し、管体外側には踏み棒と係合桿とを押さえるために外バネが設けられ、管体の底部外側には係合手段が設けられて係合桿に係合し、管体の上端にはボールを入れる容器が設けられる投球手段と、
係合手段が係合桿を外す動作に連動し、打撃練習者が踏んで係合桿が外れると、管体内部のバネの弾力で桿体が連動して桿体が容器内部のボールに衝突し、ボールが投げ出され、投球手段が角度調整手段の角度を調整すると、ボールが放物線を描くように投げ出すことができ、容器でボールの経路を変化させることができる緩和手段とを具えてなる。
かかる打撃練習機の構造と特徴を詳述するために具体的な実施例を挙げ、図示を参照にして以下に説明する
【実施例】
【００１８】
図１、２、３は、この考案の打撃練習機の実施例を示したものである。図面によれば、打撃練習機はベース１０と、投球手段２０と、緩和手段３０と、を含んでなる。
【００１９】
該ベース１０は、平面状の板体か、或いは耐震構造を具えた板体から形成する。ベース１０は底面に、複数の支柱１１を設ける。該支柱１１は草地や地面に挿入してベース１０を地面に位置決めするために供する。また、ベース１０は表面に図３に開示するように、孔１２１を具えた一対の突出部１２が形成される。該ベース１０は、投球手段２０を支持するために供する。
【００２０】
該投球手段２０は、中空の管体２１からなり、底部が拡大して形成され接続管２２を設けてなり、ナット２３をベース１０の突出部１２の孔１２１から管体２１の接続管２２に挿入して管体２１をベース１０上に回動自在に接続する。よって、管体２１は自由な角度に傾けることができ、管体２１の両側にそれぞれ適宜な空間２４が設けられる。
【００２１】
また、該投球手段２０は、内部にバネ２５が設けられ、該バネ２５の上端が桿体２６に固定される。該桿体２６の上端縁部は円弧状を呈し、桿体２６の一側面には踏み棒２７が設けられ、もう一方の側面には係合桿２８が設けられる。該踏み棒２７と係合桿２８とはそれぞれ、管体２１の空間２４の外側に向けて延伸するように管体２１と略垂直に、管体２１の外へ突出して設けられ、空間２４で位置を移動することができる。
【００２２】
該空間２４の一側面には隣接してレール２１１（図５参照）が設けられる。また、該踏み棒２７は管体２１と接する部分に軸受け２７１が設けられ、軸受け２７１でレール２１１を押し圧し、踏み棒２７が空間２４を上下に移動する場合に安定させて、長期間使用する場合に踏み棒２７が外れることを防ぐ。
【００２３】
また、管体２１は、外側に外バネ２９を設けて、踏み棒２７と係合桿２８とが当接するために供し、底部外側には角度調整手段１３が設けられる。
【００２４】
該角度調整手段１３は、ベース１０上に設けられ、ベース上に垂直に半円形の板から形成され、弧状の軌道１４を設けてなる。該管体２１は底部外周面の該軌道１４に対応する位置に横桿２０１が固定して設けられ、該横桿２０１は一端が弧状の軌道１４内に挿接され、偏心ハンドル１５で角度調整装置１３に圧力を加えて、管体２１、或いは軌道１４の角度を調整するか、或いは平行に２つの角度装置手段１３（ベースに垂直に設けられた半円形の板状）を設け、両側にそれぞれ偏心ハンドル１５を設けて角度調整装置１３を加圧して管体２１を位置決めする。
【００２５】
また、管体２１の底部外側には係合手段２０２を設ける。該係合手段２０２は、略中心の位置に設けられた接続柱２０３で管体２１の外側に回動自在に接続される。係合手段２０２は上端に形成されたフック部２０４と、下端に形成された揺動端２０５とを具えてなる。
【００２６】
該端フック部２０４と揺動端２０５とは、接続柱２０３を中心に円周運動を行って、フック部２０４が係合桿２８に係合し、揺動端２０５が緩和手段３０のロープ３１に接続する。また、管体２１は柱体２０６を固定して設けてなり、揺動端２０５を停止するために供し、且つ、揺動端２０５がバネ２０７に引かれて揺動端２０５とフック部２０４とがバネ２０７の弾力でもとの位置に戻る。
【００２７】
管体２１は上端に水平板２０８が設けられる。該水平板２０８は複数の調整柱４１を設けられる。管体２１の上端外側には容器４０が設けられる。該容器４０は碗状を呈し、野球、ソフトボールのボールを設けるために供する。該容器４０は底部に孔４２が設けられる。該孔４２は、管体２１の内側に設けられた桿体２６の上端を貫通させて突出させるために供し、孔４２の両側にはそれぞれ滑動溝４３が設けられる。該滑動溝４３は、複数の調整柱４１を挿入するために教師、ナット４４で容器４０を押し圧する。また、ナット４４が調整柱４１と接続し、容器４０を位置決めして、容器４０が移動するために供する。
【００２８】
緩和手段３０は、板３２から形成され、踏み板３３を回動自在に設けてなる。該踏み板３３はてこの作用により跳ね上がり、底部にはバネ（図示しない）を設けて、踏み板３３を弾性回復でもとの状態に戻す。該踏み板３３がロープ３１に接続し、係合手段２０２を連動してフック部２０４を外す。また、板３２の底面には複数の挿入柱３４が設けられ、地面に挿入して緩和手段３０を位置決めするために供する。
【００２９】
上述の構造を組み合わせた打撃練習機は操作する場合、図４、５、６に開示するように、足先で踏み棒２７を踏み、水平な係合桿２８が係合手段２０２のフック部２０４を介して係合手段２０２が外方向に偏って回転するまで踏み棒２７を下方向に踏みます。
【００３０】
該係合桿２８がフック部２０４に接すると、係合手段２０２がバネ２０７の弾力を受けて、すばやく位置を戻し、フック部２０４が係合桿２８に係合して、管体２１内のバネ２５が圧縮され、野球（ソフトボール）のボール５０が容器４０の内部に入れられる。
【００３１】
この時、打撃者が投球手段２０から離れ、緩和手段３０と投球手段２０との間には適宜な距離が設けられる。打撃練習者が足で緩和手段３０の踏み板３３を踏むと、踏み板３３がロープ３１を連動してロープ３１が再び係合手段２０２の偏心揺動運動に連動し、フック部２０４が係合桿２８から外れる。
【００３２】
係合桿２８が外れると、バネ２５が押し圧されないため、管体２１内部のバネ２５が弾力で桿体２６を連動する。該桿体２６（踏み棒２７と係合桿２８に連動する）がすばやく上昇し、桿体２６が容器４０内のボール５０に衝突すると、ボール５０が打撃者の位置に投げ出され、打撃者の打撃練習に供される。
【００３３】
該桿体２６がすばやく上昇する瞬間、係合手段２０２がバネ２０７の回復力を受けて、次の動作を待機し、踏み棒２７と係合桿２８がすばやく上昇すると、外バネ２９にぶつかって停止するため、管体２１の上端に設けられた水平板に衝突することがない。このように再度、上述の動作を繰り返し、単独で、或いは２人でも使用することができる。
【００３４】
この考案の打撃練習機は、角度調整手段１３で投球手段２０の角度を調整し、角度調整手段１３の偏心ハンドル１５を緩めると、投球手段２０の管体２１を必要な角度に偏心して傾けることができる。該偏心ハンドル１５を前述と反対方向に回してきつく閉めると、放物線を描くボールを投げるか、或いは投球手段２０の管体２１を比較的低く偏らせることができるため、ソフトボールの場合の投球に近いボールを投げることができる。また、角度調整手段１３が左、右のどちらかにかかわらず、どちらでも投球を調整することができる。
【００３５】
また、この考案の打撃練習機は、変化球も投げることができる。桿体２６が容器４０内のボールに衝突する場合、ボールの中心に衝突すると、通常、ボールは回転しない。容器４０内のナット４４を緩めて、容器４０を移動させた後、再度ナット４４を閉めて位置決めし、図７、８に開示するように、容器４０を偏らせてボール５０を一方に偏らせて、桿体４２をボールにぶつけると、偏った状態（中心ではない部分に）で桿体２６がボール５０に衝突し、ボール５０が変化球のように回転して投げられる。よって、容器４０を調整してボールの投球を変化させることができる。
【００３６】
さらに、この考案の打撃練習機は、携帯に便利で、角度調整手段１３で投球手段２０をベース１０に接近させると、管体２１が収納するように折り曲げられるため、体積を大幅に減らすことができ、携帯に便利である。
【００３７】
この考案は重量が軽いため、使用者が簡単に持ち運びでき、構造が簡単なため、組み立てやメンテナンスを行い易い。よって、使用寿命を延長することができる。
【００３８】
この考案の打撃練習機の他の実施例を図９、１０に開示する。図面に開示するように、容器６０は管体２１の上端に固定して設けられる。容器６０の内側には移動板６１が位置決めされる。該移動板６１は、円弧状のＵ字を呈する板で形成される。該移動板６１は両側に調整柱６２が設けられる。容器６０は両側にそれぞれ複数の位置決め孔６４を相対するように形成し、調整柱６２が位置決め孔６４に挿入され、ナット６３で移動板６１の位置を位置決めする。該移動板６１は調整してボールの投球の道筋を変化させることができる。
【００３９】
この考案の緩和手段７０の他の実施例を図１１に開示する。図面によれば、緩和手段７０は電動装置（小型モータ、或いは電磁スイッチ）から形成する。該緩和手段７０は、動力柱７１を具えてなり、該動力柱７１が係合手段２０２を偏心揺動させると、フック部２０４が係合桿２８から外れ、管体２１内部に設けられたバネ２５の弾力で桿体２６が連動される。桿体２６が容器４０内のボール５０に衝突すると、ボール５０が打撃者の位置に投げられ、打撃者に練習用のボールを提供する。該緩和手段７０は打撃者がリモコンで操作することもできる。
【００４０】
バネを交換する場合、バネの衝突を考えて、図１２に開示するように、桿体２６ａを管体２１aの上方に突出して延伸するように設ける。容器４０ａは桿体２６ａの上端に固定され、且つ投球手段２０ａの管体２１ａの上端にリング２０９が設けられる。該リング２０９は弾性を具えたプラスチックから形成され、容器４０ａが下方に押し圧するために供する。他の構造は他の実施例と同様で、バネ２５の上昇する推進力を利用して容器４０a内部にボール５０を設けて、慣性力でボール５０を投げ出され、バネ２５を交換する場合に、桿体２６ａが作業員にぶつかることを防ぐことができる。
【００４１】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００４２】
【図１】この考案の打撃練習機の構造を示した
【図２】図１に開示する打撃練習機を示した平面図である。
【図３】図１に開示する打撃練習機を示した分解図である。
【図４】この考案の打撃練習機における投球手段の角度を調整する状態を示した説明図である。
【図５】この考案の打撃練習機の投球手段を示した断面図である。
【図６】この考案の打撃練習機の投球手段がボールを投げ出す状態を示した説明図である。
【図７】この考案の打撃練習機における容器を上方から見た状態を示した説明図である。
【図８】この考案の打撃練習機における容器から変化球が投げ出される状態を示した説明図である。
【図９】この考案の打撃練習機における容器の他の実施例を示した説明図である。
【図１０】この考案の打撃練習機における容器の他の実施例を示した側面図である。
【図１１】この考案の打撃練習機における緩和装置の他の実施例をしめした説明図である。
【図１２】この考案の打撃練習機のその他の実施例を示した説明図である。
【符号の説明】
【００４３】
１０ ベース
１１ 支柱
１２ 突出部
１２１ 孔
１３ 角度調整手段
１４ 軌道
１５ 偏心ハンドル
２０ 投球手段
２０ａ 投球手段
２０１ 横桿
２０２ 係合手段
２０３ 接続柱
２０４ フック部
２０５ 揺動端
２０６ 柱体
２０７ バネ
２０８ 水平板
２０９ リング
２１ 管体
２１ａ 管体
２１１ レール
２２ 接続管
２３ ナット
２４ 空間
２５ バネ
２６ 桿体
２６ａ      桿体
２７ 踏み棒
２７１ 軸受け
２８ 係合桿
２９ 外バネ
３０ 緩和手段
３１ ロープ
３２ 板
３３ 踏み板
３４ 挿入柱
４０ 容器
４０ａ 容器
４１ 調整柱
４２ 孔
４３ 滑動溝
４４ ナット
５０ ボール
６０ 容器
６１ 移動板
６２ 調整柱
６３ ナット
６４ 位置決め孔
７０ 緩和手段
７１ 動力柱
【図１】
0003132135.tif 000003
【図２】
0003132135.tif 000004
【図３】
0003132135.tif 000005
【図４】
0003132135.tif 000006
【図５】
0003132135.tif 000007
【図６】
0003132135.tif 000008
【図７】
0003132135.tif 000009
【図８】
0003132135.tif 000010
【図９】
0003132135.tif 000011
【図１０】
0003132135.tif 000012
【図１１】
0003132135.tif 000013
【図１２】
0003132135.tif 000014